(57)【要約】【課題】宣伝効果が高いと推測される広告コンテンツを容易に決定できる広告決定プログラム、広告表示車両及び広告決定方法を提供することを目的とする。【解決手段】広告表示車両３において出力すべき広告コンテンツを決定する広告決定プログラムであって、コンピュータ２を、広告表示車両現在位置取得手段と、広告表示車両３の現在位置から所定範囲内において商品を販売している商品毎の販売個所数の情報を抽出する販売個所数抽出手段と、商品毎の販売個所数の情報を基に、広告表示車両３が出力すべき広告コンテンツを決定する広告コンテンツ決定手段と、広告表示車両３の出力装置が広告コンテンツ決定手段の決定した広告コンテンツを出力するように指示する広告コンテンツ出力指示手段として機能させることにより上記課題を解決する。【選択図】図６
2009163126.tif 000002
【特許請求の範囲】
【請求項１】
複数の広告コンテンツを出力可能な広告表示車両において出力すべき広告コンテンツを決定する広告決定プログラムであって、
コンピュータを、
広告表示車両の地理的位置情報を取得する広告表示車両現在位置取得手段と、
前記広告表示車両現在位置取得手段が取得した広告表示車両の地理的位置情報に基づいて、商品を特定する情報と該商品の販売個所の地理的位置情報とを関連付けて持つ記録部を参照し、広告表示車両の現在位置から所定範囲内において商品を販売している販売個所を特定して該商品毎の販売個所数の情報を抽出する販売個所数抽出手段と、
前記販売個所数抽出手段が抽出した該商品毎の販売個所数の情報を基に、広告表示車両が出力すべき広告コンテンツを決定する広告コンテンツ決定手段と、
広告表示車両の出力装置が前記広告コンテンツ決定手段の決定した広告コンテンツを出力するように指示する広告コンテンツ出力指示手段と
して機能させるための広告決定プログラム。
【請求項２】
コンピュータを、
前記販売個所数抽出手段が特定した販売個所で販売している商品の在庫情報を取得する在庫情報取得手段として更に機能させ、
前記広告コンテンツ決定手段を、前記在庫情報取得手段が取得した商品の在庫情報に基づいて、広告表示車両が出力すべき広告コンテンツを決定するように機能させる請求項１記載の広告決定プログラム。
【請求項３】
コンピュータを、
前記販売個所数抽出手段が特定した販売個所で販売している商品に基づいて、該商品を対象とした広告コンテンツを特定する情報と該広告コンテンツの優先度とを関連付けて持つ記録部を参照し、広告コンテンツ毎の優先度を取得する優先度取得手段として更に機能させ、
前記広告コンテンツ決定手段を、前記優先度取得手段が取得した広告コンテンツの優先度に基づいて、広告表示車両が出力すべき広告コンテンツを決定するように機能させる請求項１記載の広告決定プログラム。
【請求項４】
コンピュータを、
前記販売個所数抽出手段が特定した販売個所で販売している商品に基づいて、該商品を対象とした広告コンテンツを特定する情報と該広告コンテンツの出力回数とを関連付けて持つ記録部を参照し、広告コンテンツ毎の出力回数を取得する出力回数取得手段として更に機能させ、
前記広告コンテンツ決定手段を、前記出力回数取得手段が取得した広告コンテンツの出力回数に基づいて、広告表示車両が出力すべき広告コンテンツを決定するように機能させる請求項１記載の広告決定プログラム。
【請求項５】
コンピュータを、
前記販売個所数抽出手段が特定した販売個所で販売している商品の在庫情報を取得する在庫情報取得手段と、
前記販売個所数抽出手段が特定した販売個所で販売している商品に基づいて、該商品を対象とした広告コンテンツを特定する情報と該広告コンテンツの優先度とを関連付けて持つ記録部を参照し、広告コンテンツ毎の優先度を取得する優先度取得手段と、
前記販売個所数抽出手段が特定した販売個所で販売している商品に基づいて、該商品を対象とした広告コンテンツを特定する情報と該広告コンテンツの出力回数とを関連付けて持つ記録部を参照し、広告コンテンツ毎の出力回数を取得する出力回数取得手段として更に機能させ、
前記広告コンテンツ決定手段を、前記販売個所数抽出手段が抽出した該商品毎の販売個所数の情報，前記在庫情報取得手段が取得した商品の在庫情報，前記優先度取得手段が取得した広告コンテンツの優先度及び前記出力回数取得手段が取得した広告コンテンツの出力回数に基づいて、広告表示車両が出力すべき広告コンテンツを決定するように機能させる請求項１記載の広告決定プログラム。
【請求項６】
複数の広告コンテンツを出力可能な広告表示車両であって、
現在位置の地理的位置情報を測位する現在位置測位手段と、
前記現在位置測位手段が測位した現在位置の地理的位置情報に基づいて、商品を特定する情報と該商品の販売個所の地理的位置情報とを関連付けて持つ記録部を参照し、現在位置から所定範囲内において商品を販売している販売個所を特定して該商品毎の販売個所数の情報を抽出する販売個所数抽出手段と、
前記販売個所数抽出手段が抽出した該商品毎の販売個所数の情報を基に、出力すべき広告コンテンツを決定する広告コンテンツ決定手段と、
前記広告コンテンツ決定手段の決定した広告コンテンツを出力する出力手段と
を有することを特徴とする広告表示車両。
【請求項７】
複数の広告コンテンツを出力可能な広告表示車両において出力すべき広告コンテンツを決定する広告サーバにおける広告決定方法であって、
前記広告サーバが、
広告表示車両の地理的位置情報を取得する広告表示車両現在位置取得ステップと、
前記広告表示車両現在位置取得ステップで取得した広告表示車両の地理的位置情報に基づいて、商品を特定する情報と該商品の販売個所の地理的位置情報とを関連付けて持つ記録部を参照し、広告表示車両の現在位置から所定範囲内において商品を販売している販売個所を特定して該商品毎の販売個所数の情報を抽出する販売個所数抽出ステップと、
前記販売個所数抽出ステップで抽出した該商品毎の販売個所数の情報を基に、広告表示車両が出力すべき広告コンテンツを決定する広告コンテンツ決定ステップと、
広告表示車両の出力装置が前記広告コンテンツ決定手段の決定した広告コンテンツを出力するように指示する広告コンテンツ出力指示ステップと
を有することを特徴とする広告決定方法。
【発明の詳細な説明】
【技術分野】
【０００１】
本発明は、広告決定プログラム、広告表示車両及び広告決定方法に係り、特に出力する広告コンテンツを決定する広告決定プログラム及び広告決定方法、決定した広告コンテンツを出力する広告表示車両に関する。
【背景技術】
【０００２】
例えば飲料やスナック菓子などのメーカでは、複数の商品（製品）を同時に発売することがある。こられの商品が発売された際、メーカは広告車を用いて商品の宣伝することがあった。広告車は、動画や静止画などの広告コンテンツを表示（出力）しながら走行することで宣伝を行うものである。ディスプレイ装置を搭載した広告車は、ディスプレイ装置に動画や静止画などの広告コンテンツを表示することで商品の宣伝を行っていた。
【０００３】
複数の広告コンテンツを表示する場合、従来の広告車は複数の広告コンテンツを順番に切り替えて表示するか、ランダムに切り替えて表示していた。また、商品の宣伝効果を高めるため、従来の広告車には走行するエリアに密着した広告コンテンツを担当者等が予め決めておくことで、エリアに密着した広告コンテンツを表示するものもあった。特許文献１には、携帯移動情報端末のユーザに対して、ユーザが在圏するエリアに密着した広告情報等を配信することが記載されている。
【特許文献１】特開２００２−２１６０２１号公報
【発明の開示】
【発明が解決しようとする課題】
【０００４】
ところで、広告車による広告コンテンツの表示を見た人は、広告コンテンツを見たときから短時間の内に、その広告コンテンツの対象である商品を見かけた場合、その商品を通常よりも高い確率で購入することが知られている。また、その後は商品を購入した人による口コミ等、広告車による広告よりも影響力のある宣伝効果が期待できる。
【０００５】
しかしながら、従来の広告車では広告コンテンツの表示を見た人が短時間の内に目にする可能性のより高い商品を選ぶことが容易に行えず、担当者等が経験等に基づいて宣伝効果がありそうな広告コンテンツを予め決めておかなければならなかった。
【０００６】
したがって、従来の広告車では「広告車による広告コンテンツの表示を見た人は、広告コンテンツを見たときから短時間の内に、その広告コンテンツの対象である商品を見かけた場合、その商品を通常よりも高い確率で購入する」という知識から推測される宣伝効果が高い広告コンテンツを容易に決定できないという問題があった。
【０００７】
本発明の一実施形態は、上記の点に鑑みなされたもので、宣伝効果が高いと推測される広告コンテンツを容易に決定できる広告決定プログラム、広告表示車両及び広告決定方法を提供することを目的とする。
【課題を解決するための手段】
【０００８】
上記課題を解決する為、本発明の一実施形態は、複数の広告コンテンツを出力可能な広告表示車両において出力すべき広告コンテンツを決定する広告決定プログラムであって、コンピュータを、広告表示車両の地理的位置情報を取得する広告表示車両現在位置取得手段と、前記広告表示車両現在位置取得手段が取得した広告表示車両の地理的位置情報に基づいて、商品を特定する情報と該商品の販売個所の地理的位置情報とを関連付けて持つ記録部を参照し、広告表示車両の現在位置から所定範囲内において商品を販売している販売個所を特定して該商品毎の販売個所数の情報を抽出する販売個所数抽出手段と、前記販売個所数抽出手段が抽出した該商品毎の販売個所数の情報を基に、広告表示車両が出力すべき広告コンテンツを決定する広告コンテンツ決定手段と、広告表示車両の出力装置が前記広告コンテンツ決定手段の決定した広告コンテンツを出力するように指示する広告コンテンツ出力指示手段として機能させるための広告決定プログラムであることを特徴とする。
【０００９】
なお、本発明の一実施形態の構成要素、表現または構成要素の任意の組合せを、方法、装置、システム、コンピュータプログラム、記録媒体、データ構造などに適用したものも本発明の態様として有効である。
【発明の効果】
【００１０】
上述の如く、本発明の一実施形態によれば、宣伝効果が高いと推測される広告コンテンツを容易に決定できる広告決定プログラム、広告表示車両及び広告決定方法を提供可能である。
【発明を実施するための最良の形態】
【００１１】
次に、本発明を実施するための最良の形態を、以下の実施例に基づき図面を参照しつつ説明していく。
【実施例１】
【００１２】
図１は、広告表示システムの一例の構成図である。図１の広告表示システム１は、広告サーバ２，１台以上の広告車３，１つ以上の商品管理システム４が、インターネットやＬＡＮなどのネットワーク５を介してデータ通信可能に接続されている。広告サーバ２は広告車３において出力する広告コンテンツを、広告車３の現在位置の近辺で販売している店舗数の多い商品等に応じて決定し、広告車３に指示するものである。
【００１３】
広告車３は広告コンテンツを出力可能なディスプレイ装置を搭載する。点線で囲まれた領域６には広告表示用ディスプレイを搭載した広告車３の一例を示している。また、広告車３は現在位置を測位するＧＰＳ（全地球測位システム）装置を搭載し、測位した現在位置を広告サーバ２に通知する。広告車３は広告サーバ２からの指示に基づいてディスプレイ装置に広告コンテンツを出力する。
【００１４】
商品管理システム４は商品を販売する販売個所としての店舗毎に、扱っている（販売している）商品の識別子（商品ＩＤ）と、その商品の在庫数とを管理している。広告サーバ２から商品ＩＤを受信すると、商品管理システム４は受信した商品ＩＤの在庫数を抽出して広告サーバ２へ送信する。
【００１５】
図１の広告表示システム１は、複数の商品の広告コンテンツのうち、広告車３が走行している近辺で販売している店舗が多い商品を対象とした広告コンテンツを優先的に出力することで、「広告車３による広告コンテンツの表示を見た人は、広告コンテンツを見たときから短時間の内に、その広告コンテンツの対象である商品を見かけた場合、その商品を通常よりも高い確率で購入する」という知識から推測される宣伝効果が高い広告コンテンツを容易に決定できる。
【００１６】
次に、広告サーバ２，広告車３及び商品管理システム４において後述の情報処理を行うコンピュータシステムの構成例について図２を参照しつつ説明する。図２はコンピュータシステムの一例のハードウェア構成図である。
【００１７】
コンピュータシステム２０は、それぞれバスＢで相互に接続された入力装置２１，出力装置２２，ドライブ装置２３，補助記憶装置２４，主記憶装置２５，演算処理装置２６およびインターフェース装置２７で構成される。
【００１８】
入力装置２１はキーボードやマウスなどで構成され、各種信号を入力するために用いられる。出力装置２２はディスプレイ装置などで構成され、各種ウインドウやデータ等を表示するために用いられる。インターフェース装置２７は、モデム，ＬＡＮカードなどで構成されており、ネットワーク５に接続する為に用いられる。
【００１９】
広告サーバ２，広告車３及び商品管理システム４において後述の情報処理を行う各種プログラム（以下、単にプログラムという）は、コンピュータシステム２０を制御する各種プログラムの少なくとも一部である。プログラムは記録媒体２８の配布やネットワーク５からのダウンロードなどによって提供される。プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２０】
また、プログラムを記録した記録媒体２８がドライブ装置２３にセットされると、プログラムは記録媒体２８からドライブ装置２３を介して補助記憶装置２４にインストールされる。ネットワーク５からダウンロードされたプログラムは、インターフェース装置２７を介して補助記憶装置２４にインストールされる。
【００２１】
コンピュータシステム２０は、インストールされたプログラムを格納すると共に、必要なファイル，データ等を格納する。主記憶装置２５は、起動時に補助記憶装置２４からプログラムを読み出して格納する。そして、演算処理装置２６は主記憶装置２５に格納されたプログラムに従って、後述するような各種処理を実現している。
【００２２】
図３は、広告サーバの一例のブロック図である。広告サーバ２は、広告車位置管理部３１と、店舗情報管理部３２と、広告コンテンツ決定部３３と、広告コンテンツ出力指示部３４と、広告車位置情報テーブル３５と、店舗販売エリア情報テーブル３６と、広告情報テーブル３７と、商品取り扱い店舗情報テーブル３８とを有する構成である。なお、図３に示した各ブロックの詳細は後述する。
【００２３】
図４は広告車の一例のブロック図である。広告車３は広告表示クライアント４０を有する構成である。広告表示クライアント４０は、現在位置測位通知部４１と、広告コンテンツ出力制御部４２と、広告コンテンツ出力部４３と、広告コンテンツ格納部４４と、広告コンテンツテーブル４５とを有する構成である。なお、図４に示した各ブロックの詳細は後述する。
【００２４】
図５は商品管理システムの一例のブロック図である。商品管理システム４は、在庫数抽出部５１と、在庫数送信部５２と、商品管理テーブル５３とを有する構成である。なお、図５に示した各ブロックの詳細は後述する。
【００２５】
図６は、広告表示システムの処理手順を表した一例のシーケンス図である。ステップＳ１に進み、広告車３は現在位置測位通知処理を行い、測位した現在位置を広告サーバ２へ通知する。ステップＳ２に進み、広告サーバ２は在庫情報問合せ処理を行い、広告車３の現在位置の近辺にある店舗の商品管理システム４へ商品ＩＤを送信して、商品の在庫数を問い合わせる。
【００２６】
ステップＳ３に進み、商品管理システム４は在庫情報抽出送信処理を行い、受信した商品ＩＤの在庫数を抽出して広告サーバ２へ送信する。ステップＳ４に進み、広告サーバ２は広告コンテンツ決定処理を行い、広告車３の現在位置の近辺で販売している店舗数の多い商品や、在庫数の多い商品等を対象とする広告コンテンツを広告車３で出力する広告コンテンツとして決定し、広告車３に指示する。ステップＳ５に進み、広告車３は広告コンテンツ出力制御処理を行い、広告サーバ２から指示のあった広告コンテンツをディスプレイ装置に出力する。
【００２７】
図６に示したステップＳ１〜Ｓ５の処理手順を、後述のフローチャートに基づいて順番に説明していく。図７は、現在位置測位通知処理の手順を表した一例のフローチャートである。
【００２８】
ステップＳ１１に進み、広告車３の現在位置測位通知部４１は例えば搭載しているＧＰＳ装置等で定期的に現在位置（自車位置情報）を取得する。ステップＳ１２に進み、現在位置測位通知部４１は自車内に搭載されている広告コンテンツの広告ＩＤを図８に示す広告コンテンツテーブル４５から抽出する。
【００２９】
図８は広告コンテンツテーブルの一例の構成図である。広告コンテンツテーブル４５は自車内に搭載されている広告コンテンツの識別子である広告ＩＤと、その広告コンテンツのファイルパスとを関連付けて管理している。
【００３０】
ステップＳ１３に進み、現在位置測位通知部４１は広告サーバ２へ自車の識別子である車両ＩＤと、自車の位置情報と、ステップＳ１２で抽出した広告ＩＤとを関連付けて送信する。
【００３１】
図９は在庫情報問合せ処理の手順を表した一例のフローチャートである。ステップＳ２１に進み、広告サーバ２の広告車位置管理部３１は広告車３から車両ＩＤ，広告車３の位置情報，広告ＩＤを受信する。広告車位置管理部３１は受信した車両ＩＤと位置情報とを関連付けて図１０の広告車位置情報テーブル３５へ記録する。図１０は、広告車位置情報テーブルの一例の構成図である。
【００３２】
ステップＳ２２に進み、店舗情報管理部３２は、広告車３の位置情報から広告車３の現在位置が、広告配信対象エリアに含まれる店舗ＩＤを図１１に示すような店舗販売エリア情報テーブル３６から抽出する。図１１は店舗販売エリア情報テーブルの一例の構成図である。店舗販売エリア情報テーブル３６は、店舗の識別子である店舗ＩＤと、店舗の位置情報である店舗位置と、その店舗位置を中心とする広告配信対象エリアを表す広告配信対象範囲とを関連付けて管理している。
【００３３】
ステップＳ２３に進み、店舗情報管理部３２はステップＳ２１で受信した各広告ＩＤに対応する商品ＩＤを図１２に示すような広告情報テーブル３７から抽出する。図１２は広告情報テーブルの一例の構成図である。広告情報テーブル３７は、広告ＩＤと、その広告ＩＤの広告コンテンツが対象とする商品の商品ＩＤと、その商品の商品名と、その商品を対象とする広告コンテンツのファイル名とを関連付けて管理している。ステップＳ２４に進み、店舗情報管理部３２はステップＳ２２で抽出した店舗ＩＤに対応する店舗の商品管理システム４へステップＳ２３で抽出した商品ＩＤを送信する。
【００３４】
図１３は在庫情報抽出送信処理の手順を表した一例のフローチャートである。図１３のフローチャートに示した在庫情報抽出送信処理は店舗毎に行われる。図１３では店舗Ａの在庫情報抽出送信処理を一例として示している。
【００３５】
ステップＳ３１に進み、在庫数抽出部５１は広告サーバ２から広告コンテンツの対象となる商品の商品ＩＤを受信する。在庫数抽出部５１は受信した商品ＩＤに対応する商品の在庫数を図１４に示す店舗Ａの商品管理テーブル５３から抽出する。図１４は、商品管理テーブルの一例の構成図である。商品管理テーブル５３は店舗Ａ及びＢの商品管理テーブル５３の一例を示している。図１４の商品管理テーブル５３は、店舗ＩＤと、その店舗ＩＤの店舗で扱っている商品の商品ＩＤと、その商品ＩＤの商品の在庫数とを関連付けて管理している。ステップＳ３２に進み、在庫数送信部５２はステップＳ３１で受信した商品ＩＤの在庫数を商品ＩＤと対応付けて広告サーバ２へ送信する。
【００３６】
図１５は広告コンテンツ決定処理の手順を表した一例のフローチャートである。ステップＳ４１に進み、広告サーバ２の広告コンテンツ決定部３３は、各店舗の商品管理システム４から広告コンテンツが対象とする商品（広告対象商品）の商品ＩＤ毎の在庫数を受信する。
【００３７】
ステップＳ４２に進み、広告コンテンツ決定部３３は前述した広告情報テーブル３７を使ってステップＳ４１で受信した商品ＩＤと広告ＩＤとを関連付ける。ステップＳ４３に進み、広告コンテンツ決定部３３はステップＳ４１で受信した情報から、商品ＩＤ毎に商品を販売する店舗数と、商品を販売する店舗の店舗ＩＤと、在庫数とを集計し、ステップＳ４１で関連付けられた広告ＩＤと関連付けて図１６の商品取り扱い店舗情報テーブル３８に記録する。
【００３８】
図１６は商品取り扱い店舗情報テーブルの一例の構成図である。図１６の商品取り扱い店舗情報テーブル３８は、商品ＩＤと、その商品ＩＤの商品を対象とする広告コンテンツの広告ＩＤと、その商品ＩＤの商品を販売する店舗数及び店舗ＩＤと、その商品ＩＤの商品の在庫数とを関連付けて管理している。
【００３９】
ステップＳ４４に進み、広告コンテンツ決定部３３は、商品取り扱い店舗情報テーブル３８から店舗数又は在庫数が最も多い広告ＩＤを抽出する。なお、ステップＳ４４の処理において、店舗数又は在庫数の何れを利用するかは、宣伝の目的によって適宜切り替えればよい。無論、ステップＳ４４の処理では店舗数及び在庫数の両方を利用するようにしてもよい。そして、ステップＳ４５に進み、広告コンテンツ出力指示部３４はステップＳ４４で抽出した広告ＩＤをステップＳ２１で受信した車両ＩＤの広告車３に送信する。
【００４０】
図１７は広告コンテンツ出力制御処理の手順を表した一例のフローチャートである。ステップＳ５１に進み、広告車３の広告コンテンツ出力制御部４２は広告サーバ２から広告ＩＤを受信する。
【００４１】
ステップＳ５２に進み、広告コンテンツ出力制御部４２は図８に示した広告コンテンツテーブル４５からステップＳ５１で受信した広告ＩＤに対応するコンテンツのファイルパスを抽出する。広告コンテンツ出力制御部４２は抽出したファイルパスに対応するコンテンツファイルを広告コンテンツ格納部４４から抽出する。
【００４２】
そして、ステップＳ５３に進み、広告コンテンツ出力制御部４２はステップＳ５２で抽出したコンテンツファイルを広告コンテンツ出力部４３としての自車の広告表示用ディスプレイに出力する。
【００４３】
実施例１の広告表示システム１は、複数の商品の広告コンテンツのうち、広告車３が走行している近辺で販売している店舗数又は在庫数が多い商品を対象とした広告コンテンツを優先的に出力することで、宣伝効果が高い広告コンテンツを容易に決定できる。
【実施例２】
【００４４】
実施例１の広告表示システム１では、広告車３が走行している近辺で販売している店舗数又は在庫数が多い商品を対象とした広告コンテンツを優先的に出力していたが、広告車３が走行している近辺で販売している店舗数や在庫数が多い商品を対象とした広告コンテンツ，キャンペーン対象の広告コンテンツや再生回数の少ない広告コンテンツを総合的に判断して出力する広告コンテンツを決定してもよい。
【００４５】
実施例２の広告表示システム１は、広告車３が走行している近辺で販売している店舗数や在庫数が多い商品を対象とした広告コンテンツ，キャンペーン対象の広告コンテンツや再生回数の少ない広告コンテンツを総合的に判断して出力する広告コンテンツを決定するものである。なお、実施例２の広告表示システム１の構成図は図１と同様である。
【００４６】
実施例２の広告表示システム１の広告サーバ２Ａは広告車３において出力する広告コンテンツを、広告車３の現在位置の近辺で販売している店舗数や在庫数の多い商品を対象とした広告コンテンツ，キャンペーン対象の広告コンテンツや再生回数の少ない広告コンテンツを総合的に判断して決定し、広告車３に指示するものである。
【００４７】
なお、広告サーバ２Ａ，広告車３及び商品管理システム４において情報処理を行うコンピュータシステムの構成例については図２と同様である。図１８は、広告サーバの一例のブロック図である。
【００４８】
広告サーバ２Ａは、図３に示した広告サーバ２の構成に、キャンペーン商品情報テーブル１８１と、ポイント情報テーブル１８２と、広告再生履歴テーブル１８３と、ポイント定義テーブル１８４とを追加した構成である。なお、広告車３のブロック図は図４と同様である。商品管理システム４のブロック図は図５と同様である。
【００４９】
実施例２の広告表示システム１の処理手順は、図６に示した実施例１の広告表示システム１の処理手順とステップＳ４の広告コンテンツ決定処理が異なっている。実施例２の広告表示システム１におけるステップＳ４では広告サーバ２Ａが、広告車３の現在位置の近辺で販売している店舗数や在庫数の多い商品を対象とする広告コンテンツ，キャンペーン対象の広告コンテンツや再生回数の少ない広告コンテンツを総合的に判断して広告車３で出力する広告コンテンツとして決定し、広告車３に指示する。
【００５０】
次に、実施例２の広告表示システム１におけるステップＳ４の処理手順を、図１９に示すフローチャートに基づいて説明する。図１９は広告コンテンツ決定処理の手順を表した他の例のフローチャートである。
【００５１】
ステップＳ６１〜Ｓ６３の処理は、図１５のステップＳ４１〜Ｓ４３の処理と同様であるため、説明を省略する。ステップＳ６４に進み、広告コンテンツ決定部３３は広告ＩＤ毎の優先度を図２０に示すキャンペーン商品情報テーブル１８１から抽出する。図２０はキャンペーン商品情報テーブルの一例の構成図である。キャンペーン商品情報テーブル１８１は、広告ＩＤと、その広告ＩＤの優先度とを関連付けて管理している。
【００５２】
広告コンテンツ決定部３３は抽出した広告ＩＤ毎の優先度に対応するポイントを図２１に示すポイント定義テーブル１８４から算出し、図２２に示すポイント情報テーブル１８２に格納する。図２１はポイント定義テーブルの一例の構成図である。図２１のポイント定義テーブル１８４は、評価項目と、条件と、ポイントとを関連付けて管理している。
【００５３】
評価項目はポイントを評価する項目である。条件は評価項目毎に複数のポイントを設定する為の条件である。例えば評価項目「キャンペーン」には、優先度「１」〜「３」に関連付けてポイント「１」〜「３」が設定されている。
【００５４】
図２２はポイント情報テーブルの一例の構成図である。ポイント情報テーブル１８２は広告ＩＤ毎に、ポイント定義テーブル１８４の評価項目毎のポイントと、合計のポイントとを関連付けて管理している。
【００５５】
ステップＳ６５に進み、広告コンテンツ決定部３３はステップＳ２１で受信した広告車３の位置情報を中心とし、予め決められた半径以内の広告放送範囲を算出する。ステップＳ６６に進み、広告コンテンツ決定部３３は図２３に示す広告再生履歴テーブル１８３を利用して広告ＩＤ毎に、ステップＳ６５で算出した広告放送範囲内での広告コンテンツの再生回数をカウントする。
【００５６】
図２３は広告再生履歴テーブルの一例の構成図である。広告再生履歴テーブル１８３は再生された広告コンテンツに対応する広告ＩＤと、その広告コンテンツが再生された再生場所とを関連付けて管理している。したがって、広告コンテンツ決定部３３は再生場所がステップＳ６５で算出した広告放送範囲内に含まれる広告ＩＤを広告再生履歴テーブル１８３から抽出して広告ＩＤ毎にカウントすることで、広告放送範囲内での広告コンテンツの再生回数をカウントできる。
【００５７】
ステップＳ６７に進み、広告コンテンツ決定部３３は抽出した広告ＩＤ毎の再生回数に対応するポイントを図２１に示すポイント定義テーブル１８４から算出し、図２２に示すポイント情報テーブル１８２に格納する。ステップＳ６８に進み、広告コンテンツ決定部３３は図１６の商品取り扱い店舗情報テーブル３８から各広告ＩＤに対応する商品を取り扱っている（販売している）店舗数を抽出する。広告コンテンツ決定部３３は、抽出した店舗数に対応するポイントを図２１に示すポイント定義テーブル１８４から算出し、図２２に示すポイント情報テーブル１８２に格納する。
【００５８】
ステップＳ６９に進み、広告コンテンツ決定部３３は商品取り扱い店舗情報テーブル３８から各広告ＩＤに対応する商品の在庫数を抽出する。広告コンテンツ決定部３３は、抽出した在庫数に対応するポイントを図２１に示すポイント定義テーブル１８４から算出して図２２に示すポイント情報テーブル１８２に格納する。
【００５９】
ステップＳ７０に進み、広告コンテンツ決定部３３はポイント情報テーブル１８２から合計のポイントが最も大きな広告ＩＤを抽出する。ステップＳ７１に進み、広告コンテンツ出力指示部３４はステップＳ７０で抽出した広告ＩＤをステップＳ２１で受信した車両ＩＤの広告車３に送信する。
【００６０】
ステップＳ７２に進み、広告コンテンツ決定部３３はステップＳ２１で受信した広告車３の位置情報を再生場所して広告ＩＤと対応付けて図２３の広告再生履歴テーブル１８４に記録する。
【００６１】
実施例２の広告表示システム１は、複数の広告コンテンツのうち、広告車３が走行している近辺で販売している店舗数や在庫数が多い商品を対象とした広告コンテンツ，キャンペーン対象の広告コンテンツや再生回数の少ない広告コンテンツを総合的に判断して出力することで宣伝効果が高いと推測される広告コンテンツを容易に決定できる。
【実施例３】
【００６２】
実施例１及２の広告表示システム１は、広告サーバ２，１台以上の広告車３，１つ以上の商品管理システム４が、インターネットやＬＡＮなどのネットワークを介してデータ通信可能に接続されているが、広告サーバ２を広告車３に含ませる構成も可能である。
【００６３】
図２４は、広告表示システムの他の例の構成図である。図２４の広告表示システム１Ａは、１台以上の広告車３，１つ以上の商品管理システム４が、インターネットやＬＡＮなどのネットワークを介してデータ通信可能に接続されている。図１の広告表示システム１
における広告サーバ２の機能は広告車３に追加される。
【００６４】
つまり、広告車３は自車において出力する広告コンテンツを、自車の現在位置の近辺で販売している店舗数の多い商品等に応じて決定し、自車の広告表示用ディスプレイに出力するものである。
【００６５】
商品管理システム４は商品を販売する販売個所としての店舗毎に、扱っている（販売している）商品の識別子（商品ＩＤ）と、その商品の在庫数とを管理している。広告車３から商品ＩＤを受信すると、商品管理システム４は受信した商品ＩＤの在庫数を抽出して広告車３へ送信する。なお、広告表示システム１Ａの機能自体は、図１に示した広告表示システム１と実質的に変わっていないため、説明を省略した。
【００６６】
図２４の広告表示システム１Ａは、複数の商品の広告コンテンツのうち、広告車３が走行している近辺で販売している店舗が多い商品を対象とした広告コンテンツを優先的に出力することで、「広告車３による広告コンテンツの表示を見た人は、広告コンテンツを見たときから短時間の内に、その広告コンテンツの対象である商品を見かけた場合、その商品を通常よりも高い確率で購入する」という知識から推測される宣伝効果が高い広告コンテンツを容易に決定できる。
【００６７】
本発明は、具体的に開示された実施例に限定されるものではなく、特許請求の範囲から逸脱することなく、種々の変形や変更が可能である。例えば本実施例では商品を販売する販売個所として店舗を例に説明したが、商品毎の在庫を管理可能な販売個所、例えば自販機等であってもよい。
【００６８】
図２２のポイント情報テーブル１８２は評価項目としてキャンペーン，再生回数，取扱店舗数及び在庫数を採用しているが、キャンペーン，再生回数，取扱店舗数及び在庫数の一部を採用するものや他の評価項目を採用するものであってもよい。
【００６９】
本発明は、以下に記載する付記のような構成が考えられる。
（付記１）
複数の広告コンテンツを出力可能な広告表示車両において出力すべき広告コンテンツを決定する広告決定プログラムであって、
コンピュータを、
広告表示車両の地理的位置情報を取得する広告表示車両現在位置取得手段と、
前記広告表示車両現在位置取得手段が取得した広告表示車両の地理的位置情報に基づいて、商品を特定する情報と該商品の販売個所の地理的位置情報とを関連付けて持つ記録部を参照し、広告表示車両の現在位置から所定範囲内において商品を販売している販売個所を特定して該商品毎の販売個所数の情報を抽出する販売個所数抽出手段と、
前記販売個所数抽出手段が抽出した該商品毎の販売個所数の情報を基に、広告表示車両が出力すべき広告コンテンツを決定する広告コンテンツ決定手段と、
広告表示車両の出力装置が前記広告コンテンツ決定手段の決定した広告コンテンツを出力するように指示する広告コンテンツ出力指示手段と
して機能させるための広告決定プログラム。
（付記２）
コンピュータを、
前記販売個所数抽出手段が特定した販売個所で販売している商品の在庫情報を取得する在庫情報取得手段として更に機能させ、
前記広告コンテンツ決定手段を、前記在庫情報取得手段が取得した商品の在庫情報に基づいて、広告表示車両が出力すべき広告コンテンツを決定するように機能させる付記１記載の広告決定プログラム。
（付記３）
コンピュータを、
前記販売個所数抽出手段が特定した販売個所で販売している商品に基づいて、該商品を対象とした広告コンテンツを特定する情報と該広告コンテンツの優先度とを関連付けて持つ記録部を参照し、広告コンテンツ毎の優先度を取得する優先度取得手段として更に機能させ、
前記広告コンテンツ決定手段を、前記優先度取得手段が取得した広告コンテンツの優先度に基づいて、広告表示車両が出力すべき広告コンテンツを決定するように機能させる付記１記載の広告決定プログラム。
（付記４）
コンピュータを、
前記販売個所数抽出手段が特定した販売個所で販売している商品に基づいて、該商品を対象とした広告コンテンツを特定する情報と該広告コンテンツの出力回数とを関連付けて持つ記録部を参照し、広告コンテンツ毎の出力回数を取得する出力回数取得手段として更に機能させ、
前記広告コンテンツ決定手段を、前記出力回数取得手段が取得した広告コンテンツの出力回数に基づいて、広告表示車両が出力すべき広告コンテンツを決定するように機能させる付記１記載の広告決定プログラム。
（付記５）
コンピュータを、
前記販売個所数抽出手段が特定した販売個所で販売している商品の在庫情報を取得する在庫情報取得手段と、
前記販売個所数抽出手段が特定した販売個所で販売している商品に基づいて、該商品を対象とした広告コンテンツを特定する情報と該広告コンテンツの優先度とを関連付けて持つ記録部を参照し、広告コンテンツ毎の優先度を取得する優先度取得手段と、
前記販売個所数抽出手段が特定した販売個所で販売している商品に基づいて、該商品を対象とした広告コンテンツを特定する情報と該広告コンテンツの出力回数とを関連付けて持つ記録部を参照し、広告コンテンツ毎の出力回数を取得する出力回数取得手段として更に機能させ、
前記広告コンテンツ決定手段を、前記販売個所数抽出手段が抽出した該商品毎の販売個所数の情報，前記在庫情報取得手段が取得した商品の在庫情報，前記優先度取得手段が取得した広告コンテンツの優先度及び前記出力回数取得手段が取得した広告コンテンツの出力回数に基づいて、広告表示車両が出力すべき広告コンテンツを決定するように機能させる付記１記載の広告決定プログラム。
（付記６）
複数の広告コンテンツを出力可能な広告表示車両であって、
現在位置の地理的位置情報を測位する現在位置測位手段と、
前記現在位置測位手段が測位した現在位置の地理的位置情報に基づいて、商品を特定する情報と該商品の販売個所の地理的位置情報とを関連付けて持つ記録部を参照し、現在位置から所定範囲内において商品を販売している販売個所を特定して該商品毎の販売個所数の情報を抽出する販売個所数抽出手段と、
前記販売個所数抽出手段が抽出した該商品毎の販売個所数の情報を基に、出力すべき広告コンテンツを決定する広告コンテンツ決定手段と、
前記広告コンテンツ決定手段の決定した広告コンテンツを出力する出力手段と
を有することを特徴とする広告表示車両。
（付記７）
複数の広告コンテンツを出力可能な広告表示車両において出力すべき広告コンテンツを決定する広告サーバにおける広告決定方法であって、
前記広告サーバが、
広告表示車両の地理的位置情報を取得する広告表示車両現在位置取得ステップと、
前記広告表示車両現在位置取得ステップで取得した広告表示車両の地理的位置情報に基づいて、商品を特定する情報と該商品の販売個所の地理的位置情報とを関連付けて持つ記録部を参照し、広告表示車両の現在位置から所定範囲内において商品を販売している販売個所を特定して該商品毎の販売個所数の情報を抽出する販売個所数抽出ステップと、
前記販売個所数抽出ステップで抽出した該商品毎の販売個所数の情報を基に、広告表示車両が出力すべき広告コンテンツを決定する広告コンテンツ決定ステップと、
広告表示車両の出力装置が前記広告コンテンツ決定手段の決定した広告コンテンツを出力するように指示する広告コンテンツ出力指示ステップと
を有することを特徴とする広告決定方法。
【図面の簡単な説明】
【００７０】
【図１】広告表示システムの一例の構成図である。
【図２】コンピュータシステムの一例のハードウェア構成図である。
【図３】広告サーバの一例のブロック図である。
【図４】広告車の一例のブロック図である。
【図５】商品管理システムの一例のブロック図である。
【図６】広告表示システムの処理手順を表した一例のシーケンス図である。
【図７】現在位置測位通知処理の手順を表した一例のフローチャートである。
【図８】広告コンテンツテーブルの一例の構成図である。
【図９】在庫情報問合せ処理の手順を表した一例のフローチャートである。
【図１０】広告車位置情報テーブルの一例の構成図である。
【図１１】店舗販売エリア情報テーブルの一例の構成図である。
【図１２】広告情報テーブルの一例の構成図である。
【図１３】在庫情報抽出送信処理の手順を表した一例のフローチャートである。
【図１４】商品管理テーブルの一例の構成図である。
【図１５】広告コンテンツ決定処理の手順を表した一例のフローチャートである。
【図１６】商品取り扱い店舗情報テーブルの一例の構成図である。
【図１７】広告コンテンツ出力制御処理の手順を表した一例のフローチャートである。
【図１８】広告サーバの一例のブロック図である。
【図１９】広告コンテンツ決定処理の手順を表した他の例のフローチャートである。
【図２０】キャンペーン商品情報テーブルの一例の構成図である。
【図２１】ポイント定義テーブルの一例の構成図である。
【図２２】ポイント情報テーブルの一例の構成図である。
【図２３】広告再生履歴テーブルの一例の構成図である。
【図２４】広告表示システムの他の例の構成図である。
【符号の説明】
【００７１】
１，１Ａ    広告表示システム
２，２Ａ    広告サーバ
３    広告車
４    商品管理システム
５    ネットワーク
２０    コンピュータシステム
２１    入力装置
２２    出力装置
２３    ドライブ装置
２４    補助記憶装置
２５    主記憶装置
２６    演算処理装置
２７    インターフェース装置
３１    広告車位置管理部
３２    店舗情報管理部
３３    広告コンテンツ決定部
３４    広告コンテンツ出力指示部
３５    広告車位置情報テーブル
３６    店舗販売エリア情報テーブル
３７    広告情報テーブル
３８    商品取り扱い店舗情報テーブル
４０    広告表示クライアント
４１    現在位置測位通知部
４２    広告コンテンツ出力制御部
４３    広告コンテンツ出力部
４４    広告コンテンツ格納部
４５    広告コンテンツテーブル
５１    在庫数抽出部
５２    在庫数送信部
５３    商品管理テーブル
１８１    キャンペーン商品情報テーブル
１８２    ポイント情報テーブル
１８３    広告再生履歴テーブル
１８４    ポイント定義テーブル
Ｂ    バス
【図１】
2009163126.tif 000003
【図２】
2009163126.tif 000004
【図３】
2009163126.tif 000005
【図４】
2009163126.tif 000006
【図５】
2009163126.tif 000007
【図６】
2009163126.tif 000008
【図７】
2009163126.tif 000009
【図８】
2009163126.tif 000010
【図９】
2009163126.tif 000011
【図１０】
2009163126.tif 000012
【図１１】
2009163126.tif 000013
【図１２】
2009163126.tif 000014
【図１３】
2009163126.tif 000015
【図１４】
2009163126.tif 000016
【図１５】
2009163126.tif 000017
【図１６】
2009163126.tif 000018
【図１７】
2009163126.tif 000019
【図１８】
2009163126.tif 000020
【図１９】
2009163126.tif 000021
【図２０】
2009163126.tif 000022
【図２１】
2009163126.tif 000023
【図２２】
2009163126.tif 000024
【図２３】
2009163126.tif 000025
【図２４】
2009163126.tif 000026